(57)【要約】【課題】            植樹の以後、間伐を予定せず、立木の維持管理に手数を要することがなく、さらに茸の品質向上を図った茸の林間栽培方法を提供する。【解決手段】        立木の数本をブロック化するとともに、該立木ブロック間の間隔を広げて配置する茸の林間栽培方法。【選択図】          図１
2019022459.tif 000002
【特許請求の範囲】
【請求項１】
立木の数本をブロック化するとともに、該立木ブロック間の間隔を広げて配置したことを特徴とする茸の林地栽培方法。
【請求項２】
立木ブロック内の立木間隔が３．５〜４．５ｍであることを特徴とする請求項１に記載の茸の林地栽培方法。
【請求項３】
前記立木ブロック間の間隔が略１０ｍである請求項１又は２に記載の茸の林地栽培方法。
【請求項４】
前記立木がカラマツであることを特徴とする請求項１，２又は３に記載の茸の林地栽培方法。
【発明の詳細な説明】
【技術分野】
【０００１】
本発明は、茸の林間栽培方法に関するもので、詳しくは、立木の数本をブロック化するとともに、該立木ブロック間の間隔を広げて配置することにより立木の維持管理の軽減と茸の品質向上を図った茸の林間栽培方法に関する。
【背景技術】
【０００２】
従来、茸の栽培は、専ら菌床（培地）の改良に向けられていた。例えば、カラマツ材を主成分とする大鋸屑又はチップ、もしくはこれらを含む混合物を水の存在下で加熱し、熱水可溶成分を除去した後、栄養成分を加えることを特徴とするハナビラタケ人工栽培用の菌床作成方法が提案されている（例えば特許文献１参照）。その他、広葉樹木材を主成分とする大鋸屑又はチップ、もしくはこれらを含む混合物にカラマツ等の針葉樹の抽出液を混合し、蒸煮乾燥処理することなく培地としたことを特徴とするハナビラタケ人工栽培用の菌床（例えば特許文献２参照）などが提案されている。
【先行技術文献】
【特許文献】
【０００３】
【特許文献１】特開平１１−５６０９８号公報
【特許文献２】特開２００５−２１１２１号公報
【発明の概要】
【発明が解決しようとする課題】
【０００４】
従来、樹齢１５〜２０年生で立木密度１５００/ha程度（２．６ｍ程度間隔）のカラマツ林（立木）において、３〜５月にかけて林床の下草刈り及び厚く堆積した落葉の除去を行い環境整備して栽培を行ってきたが、樹齢２０年以上の立木（カラマツ林）におけるハナイグチ（落葉キノコ）の発生は５年を経過するごとに減少し、樹齢３０年には皆無に等しくなった。
【０００５】
発明者は、前記２０年の経過とともに茸の発生が減少する理由はカラマツ林（立木）の環境変化が影響している、との考えるに至った。具体的には、時の経過とともに成長する立木及びその枝葉が林地の日当たりを妨げるなどの立木の環境変化に原因がある、と考えるに至った。その他、下枝払い、下草・落葉等の堆積物の除去などの環境変化にも原因がある、と考えるに至った。
【０００６】
そこで、立木の成長に合わせて間伐により立木の間隔調整を行えば、林床（培地）が改良されて茸の発生率を維持及び向上させることができる、と確信を得たものである。
【０００７】
しかし、立木の成長に合わせて数年置きに間伐を行い立木の間隔調整を行うことは長期間にわたって維持管理に多くの手数を要するという問題があった。その他、間伐による立木の間隔調整にも限界があり、切り株の処理など、茸の品質向上に問題が残るものであった。
【０００８】
本発明は、植樹の以後、間伐を予定せず、したがって、立木の維持管理に手数を要することがなく、さらに茸の生育に支障をきたすことがなく、大きく品質の優れた茸を採取することができる茸の林地栽培法を提供することを目的とする。
【課題を解決するための手段】
【０００９】
前記目的を達成するため、本発明にかかる茸の林間栽培方法は、立木の数本をブロック化するとともに、該立木ブロック間の間隔を広げて配置したことを特徴とする（請求項１）。
【００１０】
この構成によれば、立木ブロック間の間隔が広げられていることにより、立木ブロック内の立木が成長してもその間の林床（培地）の日当たり具合が悪化することがない。さらに立木ブロック間の林床（培地）が茸の生育に好影響を与えて大きく品質の優れた茸を得ることができる。
【００１１】
その他、必要に応じて立木ブロック内の立木の成長に合わせて下枝払いを行い、下草及び厚く堆積した落葉を表土と攪拌するなどの林床整備を行えばよい。
【００１２】
本発明の実施の一形態は、立木ブロック内の立木間隔が３．５〜４．５ｍであることを特徴とする（請求項２）。この実施の一形態によれば、従来一般の植樹間隔の２．６ｍよりもそれぞれの植樹間隔が１〜２ｍ拡大される。その結果、立木間の日当たり具合が改善される。
【００１３】
本発明の実施の一形態は、立木ブロック間の間隔が略１０ｍであることを特徴とする（請求項３）。この実施の一形態によれば、立木ブロック内の立木が成長しても立木ブロック間に広いスペースが形成されていることから立木ブロック内の日当たり具合に影響を与えることがない。
【発明の効果】
【００１４】
本発明によれば、植樹の後、間伐を予定せず、したがって、立木の維持管理に手数を要することがなく、さらに茸の生育に支障をきたすことがなく大きく品質の優れた茸を採取することができる。
【００１５】
以上、本発明について簡潔に説明した。さらに、本発明を実施するための最良の形態を添付の図面を参照して詳細に説明する。
【図面の簡単な説明】
【００１６】
【図１】本発明の一実施の形態に係る立木構成を示す平面図である。
【図２】本発明の他の一実施例の形態に係る立木構成を示す平面図である。
【図３】実施の一形態に係る下枝払いの説明図である。
【図４】実施の一形態に係る下草・堆積落葉と表土との攪拌状態の説明図である。
【発明を実施するための形態】
【００１７】
以下、本発明の一実施の形態に係る茸の林間栽培方法について説明する。なお、茸としてハナイグチ（落葉キノコ）について説明する。なお、以下の説明では単に「茸」と記載する。
【００１８】
図１は、本発明一実施例の形態に係る立木（カラマツ）構成を示す平面図である。この実施の一形態では、直線状に植樹された５本の立木１ａ〜１ｅがそれぞれブロックＢを形成している。なお、立木の数は５本に限定されるものではない。
【００１９】
前記ブロックＢ内のそれぞれの立木間隔は３．５ｍであり、立木１ａ〜１ｅの全長は１４ｍである。また、前記ブロックＢの横間隔は１０ｍであり、縦間隔も１０ｍである。そして、前記各ブロックＢ間にはスペースＳが形成されている。
【００２０】
図２は、本発明の他の実施の一形態に係る立木構成を示す平面図である。この実施の一形態では、略リング状に植樹された５本の立木１ａ〜１ｅがそれぞれブロックＢを形成している。
【００２１】
前記ブロックＢ内のそれぞれの立木間隔は４．５ｍである。また、前記ブロックＢ間の横間隔は１０ｍであり、縦間隔も１０ｍである。そして、前記各ブロックＢ間にスペースＳが形成されている。
【００２２】
さらに、前記立木の下枝払いによって林床の日当たり具合が改善される。該下
枝払いの一例を図３に示す。すなわち、立木の樹齢（高さ）に合わせて数年置きに地面からの高さを調整して行うことが好ましい。
【００２３】
さらに、下草・堆積落葉と表土との攪拌の一例を図４に示す。例えば、刈草・堆積落葉厚さ０．０５ｍに対して表土厚さ０．１ｍが攪拌混合される。攪拌混合手段はバックホウ及び乾地ブルドーザ、その他の手段によって行われる。なお、前記、刈草・堆積落葉と表土との攪拌混合は、表土の性質、例えば、火山灰が含まれる場合などによって適宜調整される。
【００２４】
本発明によれば、各ブロック間にスペースが形成されているため、上記下枝払いの作業及び下草・堆積落葉と表土との攪拌の作業も容易且つ十分に行うことができる。
【図１】
2019022459.tif 000003
【図２】
2019022459.tif 000004
【図３】
2019022459.tif 000005
【図４】
2019022459.tif 000006
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
数本のカラマツ樹からなるカラマツ群と、該カラマツ群間の間隔を日当たり具合を考慮して広げて配置した林間においてハナイグチを栽培することを特徴とするハナイグチのカラマツ林間栽培方法。
【請求項２】
前記カラマツ群内のカラマツ樹の間隔が３．５〜４．５ｍであることを特徴とする請求項１に記載のハナイグチのカラマツ林間栽培方法。
【請求項３】
前記カラマツ群間の広げた間隔が１０ｍである請求項１又は２に記載のハナイグチのカラマツ林間栽培方法。
【手続補正２】
【補正対象書類名】明細書
【補正対象項目名】全文
【補正方法】変更
【補正の内容】
【発明の詳細な説明】
【技術分野】
【０００１】
本発明は、ハナイグチのカラマツ林間栽培方法に関するもので、詳しくは、数本のカラマツ樹からなるカラマツ群と、該カラマツ群間の間隔を日当たり具合を考慮して広げて配置した林間においてハナイグチを栽培することによりカラマツ樹の維持管理の軽減と茸の品質向上を図ったハナイグチのカラマツ林間栽培方法に関する。
【背景技術】
【０００２】
従来、茸の栽培は、専ら菌床（培地）の改良に向けられていた。例えば、カラマツ材を主成分とする大鋸屑又はチップ、もしくはこれらを含む混合物を水の存在下で加熱し、熱水可溶成分を除去した後、栄養成分を加えることを特徴とするハナビラタケ人工栽培用の菌床作成方法が提案されている（例えば特許文献１参照）。その他、広葉樹木材を主成分とする大鋸屑又はチップ、もしくはこれらを含む混合物にカラマツ等の針葉樹の抽出液を混合し、蒸煮乾燥処理することなく培地としたことを特徴とするハナビラタケ人工栽培用の菌床（例えば特許文献２参照）などが提案されている。
【先行技術文献】
【特許文献】
【０００３】
【特許文献１】特開平１１−５６０９８号公報
【特許文献２】特開２００５−２１１２１号公報
【発明の概要】
【発明が解決しようとする課題】
【０００４】
従来、樹齢１５〜２０年生で立木密度１５００/ha程度（２．６ｍ程度間隔）のカラマツ林（立木）において、３〜５月にかけて林床の下草刈り及び厚く堆積した落葉の除去を行い環境整備して栽培を行ってきたが、樹齢２０年以上の立木（カラマツ林）におけるハナイグチ（落葉キノコ）の発生は５年を経過するごとに減少し、樹齢３０年には皆無に等しくなった。
【０００５】
発明者は、前記２０年の経過とともにハナイグチの発生が減少する理由はカラマツ林（立木）の環境変化が影響している、との考えるに至った。具体的には、時の経過とともに成長する立木及びその枝葉が林地の日当たりを妨げるなどの立木の環境変化に原因がある、と考えるに至った。その他、下枝払い、下草・落葉等の堆積物の除去などの環境変化にも原因がある、と考えるに至った。
【０００６】
そこで、立木の成長に合わせて間伐により立木の間隔調整を行えば、林床（培地）が改良されて茸の発生率を維持及び向上させることができる、と確信を得たものである。
【０００７】
しかし、立木の成長に合わせて数年置きに間伐を行い立木の間隔調整を行うことは長期間にわたって維持管理に多くの手数を要するという問題があった。その他、間伐による立木の間隔調整にも限界があり、切り株の処理など、茸の品質向上に問題が残るものであった。
【０００８】
本発明は、植樹の以後、間伐を予定せず、したがって、立木の維持管理に手数を要することがなく、さらに茸の生育に支障をきたすことがなく、大きく品質の優れた茸を採取することができる茸の林地栽培法を提供することを目的とする。
【課題を解決するための手段】
【０００９】
前記目的を達成するため、本発明にかかるハナイグチのカラマツ林間栽培方法は、数本のカラマツ樹からなるカラマツ群と、該カラマツ群間の間隔を日当たり具合を考慮して広げて配置した林間においてハナイグチを栽培することを特徴とする（請求項１）。
【００１０】
この方法によれば、カラマツ群間の間隔があらかじめ日当たり具合を考慮して広げられていることにより、郡内のカラマツが成長してもその間の林床（培地）の日当たり具合が悪化することがない。さらにカラマツ群間の林床（培地）がハナイグチの生育に好影響を与えて大きく品質の優れたハナイグチを得ることができる。
【００１１】
その他、必要に応じてカラマツ群内のカラマツ樹の成長に合わせて下枝払いを行い、下草及び厚く堆積した落葉を表土と攪拌するなどの林床整備を行えばよい。
【００１２】
本発明の実施の一形態は、前記カラマツ群内のカラマツ樹の間隔が３．５〜４．５ｍであることを特徴とする（請求項２）。この実施の一形態によれば、従来一般の植樹間隔の２．６ｍよりもそれぞれの植樹間隔が１〜２ｍ拡大される。その結果、カラマツ樹間の日当たり具合が改善される。
【００１３】
本発明の実施の一形態は、前記カラマツ群間の広げた間隔が略１０ｍであることを特徴とする（請求項３）。この実施の一形態によれば、カラマツ群内のカラマツ樹が成長してもカラマツ群間に広いスペースが形成されていることからカラマツ群内の日当たり具合に影響を与えることがない。
【発明の効果】
【００１４】
本発明によれば、植樹の後、間伐を予定せず、したがって、カラマツ樹の維持管理に手数を要することがなく、さらに茸の生育に支障をきたすことがなく大きく品質の優れた茸を採取することができる。
【００１５】
以上、本発明について簡潔に説明した。さらに、本発明を実施するための最良の形態を添付の図面を参照して詳細に説明する。
【図面の簡単な説明】
【００１６】
【図１】本発明の一実施の形態に係るカラマツ林間の構成を示す平面図である。
【図２】本発明の他の一実施例の形態に係るカラマツ林間の構成を示す平面図である。
【図３】実施の一形態に係る下枝払いの説明図である。
【図４】実施の一形態に係る下草・堆積落葉と表土との攪拌状態の説明図である。
【発明を実施するための形態】
【００１７】
以下、本発明の一実施の形態に係るハナイグチのカラマツ林間栽培方法について説明する。
【００１８】
図１は、本発明一実施例の形態に係るカラマツ林間の構成を示す平面図である。この実施の一形態では、直線状に植樹された５本のカラマツ樹１ａ〜１ｅがそれぞれカラマツ群Ｂを形成している。なお、カラマツ樹の数は５本に限定されるものではない。
【００１９】
前記カラマツ群Ｂ内のそれぞれのカラマツ樹の間隔は３．５ｍであり、カラマツ樹１ａ〜１ｅの全長は１４ｍである。また、前記カラマツ群Ｂの横間隔は１０ｍであり、縦間隔も１０ｍである。そして、前記各カラマツ群Ｂ間にはスペースＳが形成されている。
【００２０】
図２は、本発明の他の実施の一形態に係る構成を示す平面図である。この実施の一形態では、略リング状に植樹された５本のカラマツ樹１ａ〜１ｅがそれぞれカラマツ群Ｂを形成している。
【００２１】
前記カラマツ群Ｂ内のそれぞれのカラマツ樹間隔は４．５ｍである。また、前記カラマツ群Ｂ間の横間隔は１０ｍであり、縦間隔も１０ｍである。そして、前記各カラマツ群Ｂ間にスペースＳが形成されている。
【００２２】
さらに、前記立木の下枝払いによって林床の日当たり具合が改善される。該下枝払いの一例を図３に示す。すなわち、立木の樹齢（高さ）に合わせて数年置きに地面からの高さを調整して行うことが好ましい。
【００２３】
さらに、下草・堆積落葉と表土との攪拌の一例を図４に示す。例えば、刈草・堆積落葉厚さ０．０５ｍに対して表土厚さ０．１ｍが攪拌混合される。攪拌混合手段はバックホウ及び乾地ブルドーザ、その他の手段によって行われる。なお、前記、刈草・堆積落葉と表土との攪拌混合は、表土の性質、例えば、火山灰が含まれる場合などによって適宜調整される。
【００２４】
本発明によれば、各カラマツ群間にスペースが形成されているため、上記下枝払いの作業及び下草・堆積落葉と表土との攪拌の作業も容易且つ十分に行うことができる。